【手続補正書】
【提出日】平成16年6月29日(2004.6.29)
【手続補正１】
【補正対象書類名】特許請求の範囲
【補正対象項目名】全文
【補正方法】変更
【補正の内容】
【特許請求の範囲】
【請求項１】
発光層を含む有機発光素子であって、前記発光層が、
凝集体発光材料、及び
モノマー発光材料
を含み、前記凝集体発光材料及び／又は前記モノマー発光材料が、りん光により発光し、前記凝集体発光材料からの発光が、前記モノマー発光材料からの発光よりエネルギーが低く、かつ前記凝集体発光材料と前記モノマー発光材料の複合発光が、可視スペクトルを十分に包含して白色発光をもたらす素子。
【請求項２】
前記凝集体発光材料が、エキシマーである請求項１に記載の素子。
【請求項３】
前記凝集体発光材料及び前記モノマー発光材料が、りん光により発光する請求項１に記載の素子。
【請求項４】
前記凝集体発光材料及び前記モノマー発光材料が、同一の化合物からなる請求項３に記載の素子。
【請求項５】
前記モノマー発光材料及び凝集体発光材料が、りん光を発する有機金属化合物である請求項３に記載の素子。
【請求項６】
前記凝集体発光材料が、ＦＰｔ（ａｃａｃ）を含み、前記モノマー発光材料が、ＦＩｒ（ｐｉｃ）を含む請求項５に記載の素子。
【請求項７】
前記複合発光が、少なくとも約８０の演色評価数を有する請求項１に記載の素子。
【請求項８】
前記複合発光が、約０．３０から約０．４０のＣＩＥｘ座標及び約０．３０から約０．４５のＣＩＥｙ座標を有する請求項１に記載の素子。
【請求項９】
前記発光層が、励起錯体発光材料及びモノマー発光材料を含む請求項１に記載の素子。
【請求項１０】
前記励起錯体発光材料及び前記モノマー発光材料が、りん光により発光する請求項９に記載の素子。
【請求項１１】
前記モノマー発光材料及び励起錯体発光材料が、りん光を発する有機金属化合物である請求項１０に記載の素子。
【請求項１２】
前記発光層が、ポリマーマトリックスをさらに含む請求項１に記載の素子。
【請求項１３】
前記ポリマーマトリックスが、ＰＶＫである請求項１２に記載の素子。
【請求項１４】
陽極、
正孔輸送層、
電子輸送層、及び
陰極
を備えた有機発光素子であって、前記正孔輸送層又は前記電子輸送層が、発光層であり、前記発光層が、凝集体発光材料及びモノマー発光材料を含み、前記凝集体発光材料及び／又は前記モノマー発光材料が、りん光により発光し、前記凝集体発光材料からの発光が、前記モノマー発光材料からの発光よりエネルギーが低く、かつ前記凝集体発光材料と前記モノマー発光材料の複合発光が、可視スペクトルを十分に包含する白色発光をもたらす素子。
【請求項１５】
前記正孔輸送層が、発光層である請求項１４に記載の素子。
【請求項１６】
前記電子輸送層が、発光層である請求項１４に記載の素子。
【請求項１７】
前記凝集体発光材料が、エキシマーである請求項１４に記載の素子。
【請求項１８】
前記凝集体発光材料及び前記モノマー発光材料が、りん光により発光する請求項１４に記載の素子。
【請求項１９】
前記凝集体発光材料及び前記モノマー発光材料が、同一の化合物からなる請求項１８に記載の素子。
【請求項２０】
前記凝集体発光材料及び前記モノマー発光材料が、りん光を発する有機金属化合物である請求項１８に記載の素子。
【請求項２１】
前記凝集体発光材料が、ＦＰｔ（ａｃａｃ）を含み、前記モノマー発光材料が、ＦＩｒ（ｐｉｃ）を含む請求項２０に記載の素子。
【請求項２２】
前記複合発光が、少なくとも約８０の演色評価数を有する請求項１４に記載の素子。
【請求項２３】
前記複合発光が、約０．３０から約０．４０のＣＩＥｘ座標及び約０．３０から約０．４５のＣＩＥｙ座標を有する請求項１４に記載の素子。
【請求項２４】
前記発光層が、励起錯体発光材料及びモノマー発光材料を含む請求項１４に記載の素子。
【請求項２５】
前記励起錯体発光材料及び前記モノマー発光材料が、りん光により発光する請求項２４に記載の素子。
【請求項２６】
前記モノマー発光材料及び励起錯体発光材料が、りん光を発する有機金属化合物である請求項２４に記載の素子。
【請求項２７】
前記発光層が、ポリマーマトリックスをさらに含む請求項１４に記載の素子。
【請求項２８】
前記ポリマーマトリックスが、ＰＶＫである請求項２７に記載の素子。
【請求項２９】
前記素子が、励起子障壁層をさらに含む請求項１４に記載の素子。
【請求項３０】
前記素子が、正孔注入層をさらに含む請求項１４に記載の素子。
【請求項３１】
陽極、
正孔輸送層、
発光層、
電子輸送層、及び
陰極
を備えた有機発光素子であって、前記発光層が、凝集体発光材料及びモノマー発光材料を含み、前記凝集体発光材料及び／又は前記モノマー発光材料が、りん光により発光し、前記凝集体発光材料からの発光が、前記モノマー発光材料からの発光よりエネルギーが低く、かつ前記凝集体発光材料と前記モノマー発光材料の複合発光が、可視スペクトルを十分に包含する白色発光をもたらす素子。
【請求項３２】
前記発光層が、エキシマー発光材料及びモノマー発光材料を含む請求項３１に記載の素子。
【請求項３３】
前記凝集体発光材料及び前記モノマー発光材料が、りん光により発光する請求項３１に記載の素子。
【請求項３４】
前記凝集体発光材料及び前記モノマー発光材料が、同一の化合物からなる請求項３３に記載の素子。
【請求項３５】
前記凝集体発光材料及び前記モノマー発光材料が、りん光を発する有機金属化合物である請求項３３に記載の素子。
【請求項３６】
前記凝集体発光材料が、ＦＰｔ（ａｃａｃ）を含み、前記モノマー発光材料が、ＦＩｒ（ｐｉｃ）を含む請求項３５に記載の素子。
【請求項３７】
前記複合発光が、少なくとも約８０の演色評価数を有する請求項３１に記載の素子。
【請求項３８】
前記複合発光が、約０．３０から約０．４０のＣＩＥｘ座標及び約０．３０から約０．４５のＣＩＥｙ座標を有する請求項３１に記載の素子。
【請求項３９】
前記凝集体発光材料が、励起錯体である請求項３１に記載の素子。
【請求項４０】
前記励起錯体発光材料及び前記モノマー発光材料が、りん光により発光する請求項３９に記載の素子。
【請求項４１】
前記モノマー発光材料及び励起錯体発光材料が、りん光を発する有機金属化合物である請求項４０に記載の素子。
【請求項４２】
前記発光層が、ポリマーマトリックスをさらに含む請求項３１に記載の素子。
【請求項４３】
前記ポリマーマトリックスが、ＰＶＫである請求項４２に記載の素子。
【請求項４４】
前記素子が、励起子障壁層をさらに含む請求項３１に記載の素子。
【請求項４５】
請求項１に記載の素子を組み込んだ光源。
【請求項４６】
発光層を含む有機発光素子であって、前記発光層が、
凝集体発光材料、及び
モノマー発光材料
を含み、前記発光層が単一の層からなり、前記凝集体発光材料及び／又は前記モノマー発光材料が、りん光により発光し、前記凝集体発光材料からの発光が、前記モノマー発光材料からの発光よりエネルギーが低く、かつ前記凝集体発光材料と前記モノマー発光材料の複合発光が、可視スペクトルを十分に包含する白色発光をもたらす素子。
【請求項４７】
前記凝集体発光材料が、エキシマーである請求項４６に記載の素子。
【請求項４８】
前記凝集体発光材料及び前記モノマー発光材料が、りん光により発光する請求項４６に記載の素子。
【請求項４９】
前記凝集体発光材料及び前記モノマー発光材料が、同一の化合物からなる請求項４８に記載の素子。
【請求項５０】
前記モノマー発光材料及び凝集体発光材料が、りん光を発する有機金属化合物である請求項４８に記載の素子。
【請求項５１】
前記凝集体発光材料が、ＦＰｔ（ａｃａｃ）を含み、前記モノマー発光材料が、ＦＩｒ（ｐｉｃ）を含む請求項５０に記載の素子。
【請求項５２】
前記複合発光が、少なくとも約８０の演色評価数を有する請求項４６に記載の素子。
【請求項５３】
前記複合発光が、約０．３０から約０．４０のＣＩＥｘ座標及び約０．３０から約０．４５のＣＩＥｙ座標を有する請求項４６に記載の素子。
【請求項５４】
前記発光層が、励起錯体発光材料及びモノマー発光材料を含む請求項４６に記載の素子。
【請求項５５】
前記励起錯体発光材料及び前記モノマー発光材料が、りん光により発光する請求項５４に記載の素子。
【請求項５６】
前記モノマー発光材料及び励起錯体発光材料が、りん光を発する有機金属化合物である請求項５５に記載の素子。
【請求項５７】
前記発光層が、ポリマーマトリックスをさらに含む請求項４６に記載の素子。
【請求項５８】
前記ポリマーマトリックスが、ＰＶＫである請求項５７に記載の素子。
【請求項５９】
発光層を含む有機発光素子であって、前記発光層が、
エキシマー発光材料、及び
モノマー発光材料
を含み、前記発光層が単一の層からなり、前記エキシマー発光材料からの発光が、前記モノマー発光材料からの発光よりエネルギーが低く、かつ前記エキシマー発光材料と前記モノマー発光材料の複合発光が、可視スペクトルを十分に包含する白色発光をもたらす素子。
【請求項６０】
発光層を含む有機発光素子であって、前記発光層が、
凝集体発光材料、
モノマー発光材料、及び
式１
【化１】
2005514754.tif 000001
（式中、２、４、５、６、及び各４’の位置の置換基は、独立して水素、フェニル、又はポリフェニルから選ばれる）の化合物を含むマトリックス材料、
を含み、前記凝集体発光材料からの発光が、前記モノマー発光材料からの発光よりエネルギーが低く、かつ前記凝集体発光材料と前記モノマー発光材料の複合発光が、可視スペクトルを十分に包含する白色発光をもたらす素子。
【請求項６１】
前記凝集体発光材料が、エキシマーである請求項６０に記載の素子。
【請求項６２】
前記凝集体発光材料及び前記モノマー発光材料が、りん光により発光する請求項６０に記載の素子。
【請求項６３】
前記凝集体発光材料及び前記モノマー発光材料が、同一の化合物からなる請求項６２に記載の素子。
【請求項６４】
前記モノマー発光材料及び凝集体発光材料が、りん光を発する有機金属化合物である請求項６２に記載の素子。
【請求項６５】
前記複合発光が、少なくとも約８０の演色評価数を有する請求項６０に記載の素子。
【請求項６６】
前記複合発光が、約０．３０から約０．４０のＣＩＥｘ座標及び約０．３０から約０．４５のＣＩＥｙ座標を有する請求項６０に記載の素子。
【請求項６７】
前記発光層が、励起錯体発光材料及びモノマー発光材料を含む請求項６０に記載の素子。
【請求項６８】
前記励起錯体発光材料及び前記モノマー発光材料が、りん光により発光する請求項６７に記載の素子。
【請求項６９】
前記モノマー発光材料及び励起錯体発光材料が、りん光を発する有機金属化合物である請求項６８に記載の素子。
【請求項７０】
陽極、
正孔輸送層、
凝集体発光材料、モノマー発光材料、及び式１
【化２】
2005514754.tif 000002
（式中、２、４、５、６、及び各４’の位置の置換基は、独立して水素、フェニル、又はポリフェニルから選ばれる）の化合物を含むマトリックス材料を含む発光層、
電子輸送層、及び
陰極
を備えた有機発光素子であって、前記凝集体発光材料からの発光が、前記モノマー発光材料からの発光よりエネルギーが低く、かつ前記凝集体発光材料と前記モノマー発光材料の複合発光が、可視スペクトルを十分に包含する白色発光をもたらす素子。
【請求項７１】
前記発光層が、エキシマー発光材料及びモノマー発光材料を含む請求項７０に記載の素子。
【請求項７２】
前記凝集体発光材料及び前記モノマー発光材料が、りん光により発光する請求項７０に記載の素子。
【請求項７３】
前記凝集体発光材料及び前記モノマー発光材料が、同一の化合物からなる請求項７２に記載の素子。
【請求項７４】
前記凝集体発光材料及び前記モノマー発光材料が、りん光を発する有機金属化合物である請求項７２に記載の素子。
【請求項７５】
前記複合発光が、少なくとも約８０の演色評価数を有する請求項７０に記載の素子。
【請求項７６】
前記複合発光が、約０．３０から約０．４０のＣＩＥｘ座標及び約０．３０から約０．４５のＣＩＥｙ座標を有する請求項７０に記載の素子。
【請求項７７】
前記凝集体発光材料が、励起錯体である請求項７０に記載の素子。
【請求項７８】
前記励起錯体発光材料及び前記モノマー発光材料が、りん光により発光する請求項７７に記載の素子。
【請求項７９】
前記モノマー発光材料及び励起錯体発光材料が、りん光を発する有機金属化合物である請求項７８に記載の素子。
【請求項８０】
前記素子が、さらに励起子障壁層を含む請求項７０に記載の素子。
【請求項８１】
前記励起子障壁層が、前記正孔輸送層と前記発光層の間に位置している請求項８０に記載の素子。
【請求項８２】
前記励起子障壁層が、ｆａｃ−イリジウム（ＩＩＩ）トリス（１−フェニルピラゾラト−Ｎ，Ｃ２’）を含む請求項８１に記載の素子。
【請求項８３】
前記マトリックス材料が、式
【化３】
2005514754.tif 000003
の化合物を含む請求項６０に記載の素子。
【請求項８４】
前記マトリックス材料が、ｍＣＰを含む請求項６０に記載の素子。
【請求項８５】
前記マトリックス材料が、式の化合物を含む請求項７０に記載の素子。